(57)【特許請求の範囲】
【請求項１】
回転可能に保持されたねじ軸と、前記ねじ軸に螺合され、前記ねじ軸の回転駆動に応じて前後進駆動されるナット体と、前記ナット体の前後進に連動して前後進駆動される射出プランジャと、前記ねじ軸を回転駆動する射出用電動サーボモータ及び増圧用電動サーボモータと、前記ねじ軸に取り付けられ、前記射出用電動サーボモータの駆動力を前記ねじ軸に伝達するタイミングベルトが巻き掛けられる第１プーリと、前記ねじ軸に取り付けられ、前記増圧用電動サーボモータの駆動力を前記ねじ軸に伝達するタイミングベルトが巻き掛けられる第２プーリと、前記第２プーリから前記ねじ軸に至る動力の伝達経路上に配置されたワンウェイクラッチを備えた電動ダイカストマシンにおいて、
前記ねじ軸の一端部に前記ワンウェイクラッチを取り付け、前記ねじ軸のワンウェイクラッチ取付位置よりも内側に前記第２プーリと前記第１プーリとをこの順に取り付けると共に、前記ワンウェイクラッチの外輪と前記第２プーリとの間にロータリダンパを設置したことを特徴とする電動ダイカストマシン。
【請求項２】
前記ロータリダンパとして、ばねの弾性で前記ねじ軸と前記第２プーリとの間に作用する衝撃力及び振動を吸収するばね式のロータリダンパを備えたことを特徴とする請求項１に記載の電動ダイカストマシン。
【請求項３】
前記ロータリダンパとして、ゴム板の弾性で前記ねじ軸と前記第２プーリとの間に作用する衝撃力及び振動を吸収するゴム板式のロータリダンパを備えたことを特徴とする請求項１に記載の電動ダイカストマシン。
【請求項４】
前記ワンウェイクラッチに対向させて、前記ワンウェイクラッチの潤滑装置を備えたことを特徴とする請求項１乃至請求項３のいずれか１項に記載の電動ダイカストマシン。
【発明の詳細な説明】
【技術分野】
【０００１】
本発明は、電動ダイカストマシンに係り、特に、金型のキャビティ内に金属溶湯を射出・充填すると共に、金型のキャビティ内に射出・充填された金属溶湯に増圧力を付与する電動射出装置の構成に関する。
【背景技術】
【０００２】
本願の出願人は、先に、電動ダイカストマシンとして、回転可能に保持されたねじ軸と、ねじ軸に螺合され、ねじ軸の回転駆動に応じて前後進駆動されるナット体と、ナット体の前後進に連動して前後進駆動される射出プランジャと、ナット体及び射出プランジャを前後進方向に案内するガイドバーと、ねじ軸を回転駆動する射出用電動サーボモータ及び増圧用電動サーボモータと、ねじ軸と増圧用電動サーボモータとの間に配置されたワンウェイクラッチとを含んで構成される電動射出装置を備えたものを提案した（例えば特許文献１の要約書参照。）。
【０００３】
本構成の電動ダイカストマシンは、ねじ軸と増圧用電動サーボモータとの間にワンウェイクラッチを備えたので、高速射出工程から増圧工程への切換を急速に行うことができて、バリや鋳物巣などのない高品質な鋳造品を鋳造することができる。
【先行技術文献】
【特許文献】
【０００４】
【特許文献１】特開２０１４−０７９７６３号公報
【発明の概要】
【発明が解決しようとする課題】
【０００５】
ところで、特許文献１に記載の電動ダイカストマシンは、ワンウェイクラッチを備えているので、高速射出工程から増圧工程への切換を急速に行うことができるが、高速射出工程から増圧工程への切換時にワンウェイクラッチに大きな衝撃力が作用するため、ワンウェイクラッチに故障が生じやすい。
【０００６】
また、特許文献１に記載の電動ダイカストマシンは、ねじ軸の長さ方向におけるワンウェイクラッチの設定位置よりも外側に、射出用電動サーボモータの回転力をねじ軸に伝達する第１プーリが配置されているので、仮にワンウェイクラッチが故障した場合には、射出用電動サーボモータ、タイミングベルト及び第１プーリの取り外しが必要となり、ワンウェイクラッチの修理及び交換に多大の労力を要する。加えて、特許文献１に記載の電動ダイカストマシンは、ワンウェイクラッチと第１プーリとがこのような位置関係で配置されているので、ねじ軸の端部に備えられる潤滑装置からワンウェイクラッチまでの距離が大きくなり、ワンウェイクラッチが潤滑不足になりやすい。
【０００７】
更に、電動ダイカストマシンにおいては、ダイカスト鋳造品の種類に応じて、高い高速射出速度を得ることを優先するため、或いは、高い増圧圧力を得ることを優先するため、射出用電動サーボモータ及び増圧用電動サーボモータの付け替えが行われる場合がある。しかるに、特許文献１に記載の電動ダイカストマシンは、ねじ軸の長さ方向におけるワンウェイクラッチの設定位置よりも外側に、射出用電動サーボモータの回転力をねじ軸に伝達する第１プーリが配置されているので、各モータの付け替え作業に多大の労力を要するという問題もある。
【０００８】
本発明は、このような従来技術の問題を解消するためになされたものであり、その目的は、ワンウェイクラッチの故障を抑制でき、かつワンウェイクラッチが故障した場合の修理及び交換と、電動サーボモータの付け替えが容易な電動ダイカストマシンを提供することにある。
【課題を解決するための手段】
【０００９】
本発明は、前記課題を解決するため、回転可能に保持されたねじ軸と、前記ねじ軸に螺合され、前記ねじ軸の回転駆動に応じて前後進駆動されるナット体と、前記ナット体の前後進に連動して前後進駆動される射出プランジャと、前記ねじ軸を回転駆動する射出用電動サーボモータ及び増圧用電動サーボモータと、前記ねじ軸に取り付けられ、前記射出用電動サーボモータの駆動力を前記ねじ軸に伝達するタイミングベルトが巻き掛けられる第１プーリと、前記ねじ軸に取り付けられ、前記増圧用電動サーボモータの駆動力を前記ねじ軸に伝達するタイミングベルトが巻き掛けられる第２プーリと、前記第２プーリから前記ねじ軸に至る動力の伝達経路上に配置されたワンウェイクラッチを備えた電動ダイカストマシンにおいて、前記ねじ軸の一端部に前記ワンウェイクラッチを取り付け、前記ねじ軸のワンウェイクラッチ取付位置よりも内側に前記第２プーリと前記第１プーリとをこの順に取り付けると共に、前記ワンウェイクラッチの外輪と前記第２プーリとの間にロータリダンパを設置したことを特徴とする。
【００１０】
本構成によると、ねじ軸の一端部にワンウェイクラッチを取り付け、ねじ軸のワンウェイクラッチ取付位置よりも内側に第２プーリと第１プーリとをこの順に取り付けるので、ワンウェイクラッチの修理及び交換時に、射出用電動サーボモータ、タイミングベルト及び第１プーリをねじ軸から取り外す必要がなく、ワンウェイクラッチの修理及び交換を容易なものにできる。また、射出用電動サーボモータ、タイミングベルト及び第１プーリを取り外すことなく、ワンウェイクラッチ、第２プーリ及び増圧用電動サーボモータの取り外しを行うことができるので、増圧用電動サーボモータから射出用電動サーボモータへの付け替えを容易なものにできる。
【００１１】
また本発明によると、ワンウェイクラッチの外輪と前記第２プーリとの間にロータリダンパを設置するので、ワンウェイクラッチに作用する衝撃力を緩和でき、ワンウェイクラッチの故障を減少できる。また、ワンウェイクラッチに作用する衝撃力を緩和できることから、ワンウェイクラッチの片当たりを防止でき、この点からもワンウェイクラッチの故障を減少できる。更には、故障を防止するためにワンウェイクラッチを大型化する必要がないので、増圧用電動サーボモータに作用するイナーシャが増加せず、高圧射出工程から増圧工程への移行を円滑に行うことができる。
【００１２】
また本発明は、前記構成の電動ダイカストマシンにおいて、前記ロータリダンパとして、ばねの弾性で前記ねじ軸と前記第２プーリとの間に作用する衝撃力及び振動を吸収するばね式のロータリダンパを備えたことを特徴とする。
【００１３】
ばね式のロータリダンパは、各種のものが市販されているので、これを用いることによって本発明に係る電動ダイカストマシンを容易に実施できる。
【００１４】
また本発明は、前記構成の電動ダイカストマシンにおいて、前記ロータリダンパとして、ゴム板の弾性で前記ねじ軸と前記第２プーリとの間に作用する衝撃力及び振動を吸収するゴム板式のロータリダンパを備えたことを特徴とする。
【００１５】
ゴム板式のロータリダンパは、所要の弾性力を有するゴム板を所要の形状に成形するだけで製造できるので、これを用いることによって本発明に係る電動ダイカストマシンを安価に実施できる。
【００１６】
また本発明は、前記構成の電動ダイカストマシンにおいて、前記ワンウェイクラッチに対向させて、前記ワンウェイクラッチの潤滑装置を備えたことを特徴とする。
【００１７】
ワンウェイクラッチをねじ軸の一端部に取り付けると、当該ワンウェイクラッチに対向させてワンウェイクラッチの潤滑装置を備えることが可能になる。そして、ワンウェイクラッチに対向させてワンウェイクラッチの潤滑装置を備えると、ワンウェイクラッチの潤滑効率を高めることができるので、ワンウェイクラッチの寿命を延長できる。
【発明の効果】
【００１８】
本発明の電動ダイカストマシンは、ねじ軸の一端部にワンウェイクラッチを取り付け、ねじ軸のワンウェイクラッチ取付位置よりも内側に第２プーリと第１プーリとをこの順に取り付けると共に、ワンウェイクラッチの外輪と第２プーリとの間にロータリダンパを設置したので、ワンウェイクラッチの故障を抑制でき、かつワンウェイクラッチが故障した場合の修理及び交換と、電動サーボモータの付け替えを容易なものにできる。
【図面の簡単な説明】
【００１９】
【図１】実施例１に係る電動射出装置の正面側から見た要部断面図である。
【図２】実施例１に係る電動射出装置の要部側面図である。
【図３】実施例１に係る衝撃緩衝装置の断面図である。
【図４】実施例１に係る衝撃緩衝装置の第１部材側から見た正面図である。
【図５】実施例１に係るワンウェイクラッチの全体斜視図である。
【図６】実施例１に係るワンウェイクラッチの要部断面図である。
【図７】実施例１に係るばね式のロータリダンパの構成図である。
【図８】実施例１に係る電動射出装置の動作説明図である。
【図９】実施例２に係る電動射出装置の構成を示す要部側面図である。
【図１０】実施例３に係る電動射出装置の構成を示す要部側面図である。
【図１１】実施例４に係る電動射出装置の構成を示す要部側面図である。
【発明を実施するための形態】
【００２０】
以下、本発明に係る電動ダイカストマシンの実施形態を、実施例毎に図を用いて説明する。なお、本発明の要旨は、以下に記載する実施形態に限定されるものではなく、本発明の趣旨に反しない範囲で、他の構成の電動ダイカストマシンに対しても適用することができる。
【００２１】
〈実施例１〉
実施例１に係る電動ダイカストマシン１００Ａは、図１及び図２に示すように、電動射出装置１に、２台の射出用電動サーボモータ２ａ、２ｂと、１台の増圧用電動サーボモータ３を備えている。
【００２２】
また、本例の電動射出装置１は、保持プレート４に軸受５を介して回転可能に保持されたねじ軸６と、ねじ軸６に螺合され、ねじ軸６の回転駆動に伴って前後進駆動されるナット体７と、ねじ軸６と同心に配置され、先端部に射出プランジャ８ａが取り付けられた連結体８と、ナット体７と連結体８との間に配置され、連結体８に作用するサージ圧を吸収する衝撃緩衝装置９とを備えている。さらに、連結体８には、射出プランジャ８ａの位置を検出する位置検出器１０が備えられている。なお、射出プランジャ８ａの先端部は、図示しない固定ダイプレートに形成された射出スリーブ内に配置されている。
【００２３】
更に、ねじ軸６の一端部（連結体８の取付側とは反対側の端部）には、外側から順に、ワンウェイクラッチ１１及びロータリダンパ１２と、増圧用電動サーボモータ３の駆動力をねじ軸６に伝達するタイミングベルト１３が巻き掛けられる第２プーリ１４と、射出用電動サーボモータ２ａ、２ｂの駆動力をねじ軸６に伝達するタイミングベルト１５ａ、１５ｂが巻き掛けられる第１プーリ１６とが、この順に取り付けられている。
【００２４】
射出用電動サーボモータ２ａ、２ｂ及び増圧用電動サーボモータ３は、制御装置２０から出力される制御信号により駆動が制御される。なお、制御装置２０としては、電動ダイカストマシンの駆動全体を制御するマシンコントローラを用いることもできる。
【００２５】
図２に示すように、実施例１に係る電動射出装置１は、保持プレート４の上方に射出用電動サーボモータ２ａ、２ｂが配置され、保持プレート４の側方に増圧用電動サーボモータ３が配置されている。また、増圧用電動サーボモータ３の取付側には、中間プーリ１７が配置されている。
【００２６】
なお、図１から明らかなように、実施例１に係る電動射出装置１には、電動ダイカストマシンの電動射出装置に一般的に備えられるロードセルが備えられていない。従って、実施例１に係る電動射出装置１は、ロードセルを備えた従来の電動射出装置に比べて、その長さ寸法を小型化することができる。
【００２７】
以下、各部の構成をより詳細に説明する。
【００２８】
衝撃緩衝装置９は、図１、図３及び図４に示すように、ナット体７に固定される第１部材３３と、連結体８に固定される第２部材３５と、第１部材３３と第２部材３５との間に設置されたコイルばねなどの弾性部材３６とから構成される。
【００２９】
図４に示すように、第１部材３３及び第２部材３５は、正面形状が略六角形に形成されており、その中央部にはナット体７を貫通するためのナット体貫通孔３８が開設されている。また、ナット体貫通孔３８の周囲の所定位置には、連結ボルト３７を貫通するための連結ボルト貫通孔３９が開設されている。さらに、ナット体貫通孔３８の周囲の連結ボルト貫通孔３９と干渉しない部分には、複数個（図４の例では、１０個）の弾性部材収容穴４０がほぼ等分に形成されている。
【００３０】
加えて、本例の衝撃緩衝装置９は、図４に示すように、第１部材３３及び第２部材３５の長径方向の端部に、ガイドバー４３を貫通するためのガイドバー貫通孔４１が開設され、該ガイドバー貫通孔４１内には、ガイドバー４３を摺動自在に保持するすべり軸受（メタル）４２が備えられている。ガイドバー４３は、衝撃緩衝装置９の動揺を抑制して、衝撃緩衝装置９をねじ軸６の長さ方向に沿って伸縮させるもので、ねじ軸６と平行に向けて保持プレート４に取り付けられる。なお、ナット体７と連結体８との間に衝撃緩衝装置９を安定に保持できる場合には、ガイドバー貫通孔４１、すべり軸受４２及びガイドバー４３を省略することもできる。
【００３１】
弾性部材３６は、図３に示すように、その両端部が第１部材３３に形成された弾性部材収容穴４０及び第２部材３５に形成された弾性部材収容穴４０にそれぞれ収容される。第１部材３３及び第２部材３５は、弾性部材収容穴４０内に弾性部材３６を収容した状態において、連結ボルト貫通孔３９内に連結ボルト３７を貫通し、連結ボルト３７に螺合されたナットを締め付けることにより、一体に組み立てられる。
【００３２】
なお、衝撃緩衝装置９の組立時における連結ボルト３７の締付力は、射出工程から増圧工程への切換時における金属溶湯の圧力と同等かこれよりも若干（例えば、１．０５倍〜１．１倍）大きい圧縮力が弾性部材３６に付与されるように調整される。これにより、射出工程中に弾性部材３６が縮むことはなく、金属溶湯に所要の射出圧力を付与することができる。また、第１部材３３と第２部材３５は、サージ圧を受けたときにも密着しない所定の間隔を隔てて組み合わされる。
【００３３】
ワンウェイクラッチ１１は、図５及び図６に示すように、内輪５１と、外輪５２と、これら内輪５１及び外輪５２の間に揺動可能に配置された複数のカム５３と、カム５３を保持するリテーナ５４と、カム５３を一方向に付勢するばね部材５５とから主に構成されている。カム５３は、内輪５１及び外輪５２を特定の一方向に回転する場合において、内輪５１の回転速度が外輪５２の回転速度よりも高速であるときには、これら内輪５１及び外輪５２との係合が解除されて、外輪５２に対して内輪５１が空転する。また、このカム５３は、内輪５１の回転速度が外輪５２の回転速度よりも低速になったときには、内輪５１及び外輪５２に係合し、内輪５１と外輪５２とを前記特定の一方向に一体に回転させる。内輪５１は、ねじ軸６の外周に固定され、外輪５２は、第２プーリ１４の内周に固定される。
【００３４】
ワンウェイクラッチ１１に対向するねじ軸６の端部には、図１に示すように、ワンウェイクラッチ１１を潤滑するための潤滑装置（潤滑油供給ノズル）４４が備えられる。潤滑装置４４は、潤滑油供給ノズル、潤滑油タンク、これら潤滑油供給ノズルと潤滑油タンクとを繋ぐ給油ホース及び排油ホース、並びに潤滑油タンク内の潤滑油を潤滑油供給ノズルに圧送する給油ポンプとから構成され、潤滑油供給ノズルが潤滑装置取付板４５を介してワンウェイクラッチ１１の外輪５２に取り付けられる。実施例１に係る電動射出装置１は、ワンウェイクラッチ１１に対向させて潤滑装置４４を配置したので、ワンウェイクラッチ１１の潤滑効率を高めることができて、ワンウェイクラッチ１１の寿命を延長できる。
【００３５】
ロータリダンパ１２は、ワンウェイクラッチ１１に作用する衝撃力を緩和するためのものであって、ワンウェイクラッチ１１の外輪５２と第２プーリ１４との間に設置される。ロータリダンパ１２には、ばねの弾性でワンウェイクラッチ１１に作用する衝撃力及び振動を吸収するばね式のロータリダンパと、ゴム板の弾性でワンウェイクラッチ１１に作用する衝撃力及び振動を吸収するゴム板式のロータリダンパとがある。
【００３６】
ばね式のロータリダンパ１２は、図７に示すように、外歯６１を有する内輪６２と、内歯６３を有する外輪６４と、外歯６１と内歯６３との間に配置されたばね６５とから構成されている。内輪６２は、ワンウェイクラッチ１１の外輪５２に固定され、外輪６４は、第２プーリ１４に固定される。よって、内輪６２と外輪６４とが相対的に周方向に回転すると、ばね６５が弾性変形して、ワンウェイクラッチ１１に作用する回転方向の衝撃力及び振動を吸収する。ばね式のロータリダンパ１２は、各種のものが市販されているので、実施例１に係る電動ダイカストマシン１００Ａを容易に実施できる。
【００３７】
ゴム板式のロータリダンパ１２は、所要の弾性力を有する原料ゴムを、ワンウェイクラッチ１１の外輪５２と第２プーリ１４との間に設置可能な形状、例えばドーナツ形状に形成してなる。ゴム板式のロータリダンパ１２の内周部は、ワンウェイクラッチ１１の外輪５２に固定され、ゴム板式のロータリダンパ１２の外周部は、第２プーリ１４に固定される。よって、ワンウェイクラッチ１１の外輪５２と、第２プーリ１４とが相対的に周方向に回転すると、ゴム板式のロータリダンパ１２が弾性変形して、ワンウェイクラッチ１１に作用する回転方向の衝撃力及び振動を吸収する。ゴム板式のロータリダンパ１２は、比較的安価に製造できるので、実施例１に係る電動ダイカストマシン１００Ａを安価に実施できる。
【００３８】
実施例１に係る電動射出装置１は、クラッチ機構として、増圧用電動サーボモータ３によって回転駆動されるねじ軸６の回転速度よりも、射出用電動サーボモータ２ａ、２ｂによって回転駆動されるねじ軸６の回転速度の方が低速になった段階で、自動的に接続状態に切り替わるワンウェイクラッチ１１を用いたので、制御装置２０によるクラッチ装置の切換制御が不要になり、制御装置２０の負担を軽減できる。
【００３９】
また、実施例１に係る電動射出装置１は、ワンウェイクラッチ１１の外輪５２と第２プーリ１４との間にロータリダンパ１２を設置するので、ワンウェイクラッチ１１に作用する衝撃力を緩和でき、ワンウェイクラッチ１１の故障を減少できる。また、実施例１に係る電動射出装置１は、ワンウェイクラッチ１１に作用する衝撃力を緩和できることから、ワンウェイクラッチ１１の片当たりを防止でき、この点からもワンウェイクラッチ１１の故障を減少できる。更に、実施例１に係る電動射出装置１は、故障を防止するためにワンウェイクラッチ１１を大型化する必要がないので、増圧用電動サーボモータ３に作用するイナーシャが増加せず、高圧射出工程から増圧工程への移行を円滑に行うことができる。
【００４０】
第２プーリ１４は、ベアリング７１を介してねじ軸６に取り付けられる。また、第１プーリ１６は、ねじ軸６に固着される。
【００４１】
中間プーリ１７は、増圧用電動サーボモータ３の回転出力の減速比を高めるものであって、大プーリ１７ａと小プーリ１７ｂとが同心に形成されている。増圧用電動サーボモータ３の出力軸に備えられた原動プーリ３ａと大プーリ１７ａには、増圧用電動サーボモータ３の駆動力を中間プーリ１７に伝達する中間タイミングベルト７２が巻き掛けられ、小プーリ１７ｂと第２プーリ１４には、中間プーリ１７の駆動力をねじ軸６に伝達する増圧用のタイミングベルト１３が巻き掛けられる。よって、実施例１に係る電動射出装置１は、増圧用電動サーボモータ３の駆動力が２段階に減速され、ねじ軸６に付与される。よって、実施例１に係る電動射出装置１は、金型のキャビティ内に射出・充填された金属溶湯に十分な大きさの増圧力を付与することができる。
【００４２】
また、射出用電動サーボモータ２ａ、２ｂの各出力軸に備えられた原動プーリ１８ａ、１８ｂと第１プーリ１６には、射出用電動サーボモータ２ａ、２ｂの駆動力をねじ軸６に伝達する射出用のタイミングベルト１５ａ、１５ｂが巻き掛けられる。
【００４３】
実施例１に係る電動射出装置１は、ねじ軸６の一端部にワンウェイクラッチ１１とロータリダンパ１２とを取り付け、それよりも内側に、第２プーリ１４と第１プーリ１６とをこの順に取り付けるので、ワンウェイクラッチ１１の修理及び交換時に、射出用電動サーボモータ２ａ、２ｂ、タイミングベルト１５ａ、１５ｂ及び第１プーリ１６をねじ軸６から取り外す必要がなく、ワンウェイクラッチ１１の修理及び交換を容易なものにできる。
【００４４】
また、実施例１に係る電動射出装置１は、射出用電動サーボモータ２ａ、２ｂ、タイミングベルト１５ａ、１５ｂ及び第１プーリ１６をねじ軸６から取り外すことなく、ワンウェイクラッチ１１、第２プーリ１４、増圧用電動サーボモータ３及び中間プーリ１７を取り外すことができるので、ワンウェイクラッチ１１、第２プーリ１４、増圧用電動サーボモータ３及び中間プーリ１７を取り外した後に、その空きスペースを利用して新たな射出用電動サーボモータ２ａ、２ｂ、タイミングベルト１５ａ、１５ｂ及び第１プーリ１６を追加するだけで、射出用電動サーボモータ２ａ、２ｂの増設を行うことができる。よって、増圧用電動サーボモータ３から射出用電動サーボモータ２ａ、２ｂへの付け替えを容易に行うことができる。
【００４５】
制御装置２０は、射出用電動サーボモータ２ａ、２ｂ及び増圧用電動サーボモータ３を駆動制御する。なお、制御装置２０としては、ダイカストマシン全体の駆動制御を司るマシンコントローラを用いることもできる。
【００４６】
即ち、制御装置２０は、射出用電動サーボモータ２ａ、２ｂ及び増圧用電動サーボモータ３の起動タイミング、停止タイミング、加速条件、減速条件、回転速度及び回転トルクなど、射出用電動サーボモータ２ａ、２ｂ及び増圧用電動サーボモータ３の駆動制御全般を司る。これにより、実施例１に係る制御装置２０は、予め設定された鋳造品の鋳造条件に基づいて、低速射出工程、高速射出工程、増圧工程、鋳造品の突出し工程及び射出プランジャ８ａの後退工程をこの順に繰り返し、所要の鋳造品を連続的に鋳造する。
【００４７】
特に、実施例１に係る制御装置２０は、増圧工程において、増圧用電動サーボモータ３に備えられたロータリエンコーダ（図示省略）の出力信号及び位置検出器１０の出力信号から衝撃緩衝装置９の圧縮量（衝撃緩衝装置９に備えられた弾性部材３６の圧縮量）を求め、この求められた衝撃緩衝装置９の圧縮量に基づいて、増圧工程における増圧力の制御を行うことを特徴とする。即ち、衝撃緩衝装置９の圧縮量は、金型のキャビティ内に射出・充填された溶融金属に付与される増圧力に換算できるため、ロードセルを用いることなく、衝撃緩衝装置９の圧縮量に基づいて、キャビティ内の溶融金属に付与される増圧力を制御できる。
【００４８】
実施例１に係る電動射出装置１は、このような知見に基づいて発明がなされたものであり、増圧力の設定が、衝撃緩衝装置９の圧縮量を設定することにより行われる。
【００４９】
衝撃緩衝装置９の圧縮量は、射出プランジャ８ａの位置とナット体７の前進位置との差分として求められる。そこで、実施例１に係る制御装置２０は、位置検出器１０の出力信号から射出プランジャ８ａの位置を求めると共に、増圧用電動サーボモータ３に備えられたロータリエンコーダの出力信号からナット体７の前進位置を求め、両位置の差分が設定された衝撃緩衝装置９の圧縮量になるように、増圧用電動サーボモータ３を位置フィードバック制御で駆動制御する。
【００５０】
なお、上述したように、増圧工程においては溶融金属の凝固収縮に伴って射出プランジャ８ａが微速前進するので、制御装置２０は、この射出プランジャ８ａの微速前進に応じて、増圧用電動サーボモータ３の位置フィードバック制御による駆動制御を、多段階にわたって繰り返す。これにより、増圧力の制御を精緻かつ正確に制御できる。
【００５１】
実施例１に係る電動射出装置１は、衝撃緩衝装置９を射出プランジャ８ａに作用する増圧力を検出するための圧力センサとして利用するので、ロードセルの設置を省略でき、電動射出装置１の低コスト化が図れると共に、溶融金属に作用する増圧力を精緻かつ正確に制御できて、外観不良や重量不足が無い鋳造品を安定して製造できる。また、増圧用電動サーボモータ３を位置フィードバック制御で駆動制御するので、増圧用電動サーボモータ３を圧力フィードバック制御で駆動制御する場合に比べて、増圧工程中のモータ制御を簡略化できる。
【００５２】
以下、実施例１に係る電動射出装置１の動作及び効果を、図８に基づいて説明する。以下の動作は、制御装置２０から出力される制御信号に基づいて行われる。
【００５３】
図８（ｂ）に示すように、ダイカストマシンが連続自動運転を実行している状態において、低速射出の開始タイミングに至ると、射出用電動サーボモータ２ａ、２ｂが所定の回転方向に起動され、その回転速度が予め定められた低速射出用の回転速度に制御される。次いで、高速射出の開始タイミングに至ると、射出用電動サーボモータ２ａ、２ｂが増速され、その回転速度が予め定められた高速射出用の回転速度に制御される。
【００５４】
射出用電動サーボモータ２ａ、２ｂの回転は、射出用電動サーボモータ２ａ、２ｂの各出力軸に備えられた原動プーリ１８ａ、１８ｂ、タイミングベルト１５ａ、１５ｂ及び第１プーリ１６を介してねじ軸６に伝達され、ねじ軸６を低速射出時の回転速度及び高速射出時の回転速度で回転駆動する。ねじ軸６が回転駆動されると、ねじ軸６に螺合されたナット体７が前進駆動され、図８（ｂ）に示すように、ナット体７に衝撃緩衝装置９及び連結体８を介して連結された射出プランジャ８ａが、所定の低速射出時の前進速度及び高速射出時の前進速度で前進駆動される。これにより、射出スリーブ内に供給された一定量の溶融金属が、図示しない金型のキャビティ内に所定の射出速度で低速射出された後、所定の射出速度で高速射出される。
【００５５】
射出プランジャ８ａの前進により、射出スリーブ内の溶融金属が金型のキャビティ内に射出されたとき、キャビティ内の溶融金属には、衝撃的なサージ圧が作用する。サージ圧が過大であると、製品にバリなどの成形不良が発生しやすくなるし、金型が破損する原因ともなる。本実施形態に係る電動射出装置１は、衝撃緩衝装置９に備えられた弾性部材３６でサージ圧を吸収する。即ち、高速射出工程において発生したサージ圧は、射出プランジャ８ａ及び連結体８を介して衝撃緩衝装置９の第２部材３５に伝達されるので、図８（ａ）のＡ部に示すように、第１部材３３と第２部材３５との間で弾性部材３６が圧縮され、その弾性変形によってサージ圧が吸収される。よって、キャビティ内の溶融金属に過大なサージ圧が作用せず、良品の製造が可能になる。
【００５６】
高速射出工程の終期に至ると、制御装置２０は、図８（ｂ）に示すように、射出用電動サーボモータ２ａ、２ｂを減速制御し、最終的には射出用電動サーボモータ２ａ、２ｂの回転を停止する。また、制御装置２０は、射出用電動サーボモータ２ａ、２ｂの減速制御を開始する以前に、増圧用電動サーボモータ３の起動を開始し、その回転速度を予め定められて所定の回転速度に保持する。射出用電動サーボモータ２ａ、２ｂの回転速度は減速制御によって漸減し、増圧用電動サーボモータ３の回転速度は起動制御によって漸増するので、射出用電動サーボモータ２ａ、２ｂの減速制御中に、射出用電動サーボモータ２ａ、２ｂの回転速度と増圧用電動サーボモータ３の回転速度は逆転する。
【００５７】
したがって、増圧用電動サーボモータ３を起動した後においても、射出用電動サーボモータ２ａ、２ｂによって回転駆動されるねじ軸６の回転速度の方が、増圧用電動サーボモータ３によって回転駆動されるねじ軸６の回転速度よりも高速である場合には、ワンウェイクラッチ１１が空転し、増圧用電動サーボモータ３の回転力はねじ軸６に伝達されない。よって、射出用電動サーボモータ２ａ、２ｂを駆動制御することにより、射出工程中の低速射出工程及び高速射出工程が実行される。
【００５８】
この状態からさらに射出用電動サーボモータ２ａ、２ｂによって回転駆動されるねじ軸６の回転速度が低下し、増圧用電動サーボモータ３によって回転駆動されるねじ軸６の回転速度よりも、射出用電動サーボモータ２ａ、２ｂによって回転駆動されるねじ軸６の回転速度の方が低速になると、その段階で、ワンウェイクラッチ１１が自動的に接続状態に切り替わり、増圧用電動サーボモータ３の回転力が、増圧用電動サーボモータ３の出力軸に備えられた原動プーリ３ａ、中間タイミングベルト７２、中間プーリ１７の大プーリ１７ａ、中間プーリ１７の小プーリ１７ｂ、タイミングベルト１３、第２プーリ１４を介してねじ軸６に伝達される。
【００５９】
この回転力は、ナット体７によって直進力に変換され、衝撃緩衝装置９及び連結体８を介して射出プランジャ８ａに伝達される。この増圧用電動サーボモータ３による動力補給により、図８（ｃ）に示すように、金型キャビティ内の溶融金属に所要の増圧圧力が付与され、射出工程に引き続く増圧工程が実行される。これにより、鋳物巣などの成形不良を防止することができる。
【００６０】
この増圧工程において、増圧用電動サーボモータ３は、射出プランジャ８ａの位置とナット体７の前進位置との差分として求められる衝撃緩衝装置９の圧縮量が、増圧力を設定するために予め設定された衝撃緩衝装置９の圧縮量となるように、位置フィードバック制御で駆動制御される。図８（ａ）のＢ部は、このときの弾性部材３６の挙動を示している。
【００６１】
なお、上述の増圧用電動サーボモータ３の駆動制御においては、射出用電動サーボモータ２ａ、２ｂの減速制御を開始する以前に増圧用電動サーボモータ３を起動したが、本発明の要旨はこれに限定されるものではなく、射出用電動サーボモータ２ａ、２ｂの減速制御を開始すると同時、又はそれ以降に増圧用電動サーボモータ３の起動を開始することもできる。
【００６２】
増圧工程の完了後、冷却工程が終了し、図示しない型開閉電動サーボモータを駆動して型開き工程が実行されると、増圧工程時に圧縮されていた弾性部材３６の復元力により、型開き工程の開始時から射出プランジャ８ａによってビスケットに対して押出方向の圧力がかかり、型開き動作にビスケット押出動作を追従させることができる。その後、射出用電動サーボモータ２ａ、２ｂを逆転駆動してナット体７を原位置に復帰する。これに伴って連結体８及び射出プランジャ８ａも原位置に復帰する。
【００６３】
〈実施例２〉
実施例２に係る電動ダイカストマシン１００Ｂは、図９に示すように、増圧用電動サーボモータ３を取り外し、電動射出装置１に４台の射出用電動サーボモータ２ａ、２ｂ、２ｃ、２ｄを備えたことを特徴とする。本例においては、２台の射出用電動サーボモータ２ａ、２ｂが保持プレート４の上方に配置され、他の２台の射出用電動サーボモータ２ｃ、２ｄが保持プレート４の側方に配置されている。その他については、実施例１に係る電動射出装置１と同じであるので、説明を省略する。
【００６４】
上述したように、実施例１に係る電動射出装置１は、射出用電動サーボモータ２ａ、２ｂ、タイミングベルト１５ａ、１５ｂ及び第１プーリ１６をねじ軸６から取り外すことなく、ワンウェイクラッチ１１、第２プーリ１４、増圧用電動サーボモータ３及び中間プーリ１７を取り外すことができる。よって、これらの各部材を取り外した後に、ワンウェイクラッチ１１及び第２プーリ１４の取付スペースに新たな第１プーリ１６を取り付け、増圧用電動サーボモータ３及び中間プーリ１７の取付スペースに新たな射出用電動サーボモータ２ｃ、２ｄ及びタイミングベルト１５ｃ、１５ｄを取り付けるだけで、射出用電動サーボモータ２ｃ、２ｄを増設して、実施例２に係る電動ダイカストマシン１００Ｂとすることができる。よって、増圧用電動サーボモータ３から射出用電動サーボモータへ２ｃ、２ｄの付け替えを容易に行うことができる。
【００６５】
実施例２に係る電動射出装置１は、増圧工程において、４台の射出用電動サーボモータ２ａ、２ｂ、２ｃ、２ｄを位置フィードバック制御により駆動制御して、キャビティ内に射出・充填された溶融樹脂に所定の増圧力を付与する。
【００６６】
〈実施例３〉
実施例３に係る電動ダイカストマシン１００Ｃは、図１０に示すように、２台の射出用電動サーボモータ２ａ、２ｂを保持プレート４の上方に配置し、他の２台の射出用電動サーボモータ２ｃ、２ｄを保持プレート４の下方に配置したことを特徴とする。その他については、実施例２に係る電動射出装置１と同じであるので、説明を省略する。なお、図１０に二点鎖線で示すように、２台の射出用電動サーボモータ２ａ、２ｂを保持プレート４の左方に配置し、他の２台の射出用電動サーボモータ２ｃ、２ｄを保持プレート４の右方に配置することもできる。
【００６７】
〈実施例４〉
実施例４に係る電動ダイカストマシン１００Ｄは、図１１に示すように、２台の射出用電動サーボモータ２ａ、２ｂを保持プレート４の上方に配置し、１台の増圧用電動サーボモータ３を保持プレート４の下方に配置し、増圧用電動サーボモータ３の出力軸に取り付けられた原動プーリ３ａと第２プーリ１４とにタイミングベルト１３を巻き掛けたことを特徴とする。その他については、実施例１に係る電動射出装置１と同じであるので、説明を省略する。なお、図１１に二点鎖線で示すように、２台の射出用電動サーボモータ２ａ、２ｂを保持プレート４の左方と右方とに配置することもできる。
【００６８】
その他、電動射出装置に備えられる射出用電動サーボモータ及び増圧用電動サーボモータの数、並びに、保持プレート４に対する各電動サーボモータの配置については、必要に応じて種々変更することができる。
【産業上の利用可能性】
【００６９】
本発明は、電動ダイカストマシンに備えられる電動射出装置に利用できる。
【符号の説明】
【００７０】
１…電動射出装置、２ａ、２ｂ…射出用電動サーボモータ、３…増圧用電動サーボモータ、３ａ…原動プーリ、４…保持プレート、５…軸受、６…ねじ軸、７…ナット体、８…連結体、８ａ…射出プランジャ、９…衝撃緩衝装置、１０…位置検出器、１１…ワンウェイクラッチ、１２…ロータリダンパ、１３…タイミングベルト（増圧用）、１４…第２プーリ、１５ａ、１５ｂ…タイミングベルト（射出用）、１６…第１プーリ、１７…中間プーリ、１８ａ、１８ｂ…原動プーリ、２０…制御装置、３３…第１部材、３５…第２部材、３６…弾性部材、３８…ナット体貫通孔、３９…連結ボルト貫通孔、４０…弾性部材収容穴、４１…ガイドバー貫通孔、４２…すべり軸受、４３…ガイドバー、４４…潤滑装置、４５…潤滑装置取付板、５１…内輪、５２…外輪、５３…カム、５４…リテーナ、５５…ばね部材、６１…外歯、６２…内輪、６３…内歯、６４…外輪、６５…ばね、７１…ベアリング、７２…中間タイミングベルト、１００Ａ、１００Ｂ、１００Ｃ、１００Ｄ…電動ダイカストマシン
【図１】
0006602718.tif 000002
【図２】
0006602718.tif 000003
【図３】
0006602718.tif 000004
【図４】
0006602718.tif 000005
【図５】
0006602718.tif 000006
【図６】
0006602718.tif 000007
【図７】
0006602718.tif 000008
【図８】
0006602718.tif 000009
【図９】
0006602718.tif 000010
【図１０】
0006602718.tif 000011
【図１１】
0006602718.tif 000012